(57)【特許請求の範囲】
【請求項１】
磁気により吸着可能な磁気吸着手段と、
人工衛星から発信されるＧＰＳ用の電波を受信するアンテナをその内部に収納すると共に上記磁気吸着手段を係着する収納手段と、を備えるＧＰＳ受信装置において、
収納手段に、直径方向に突出する突起をその外面側に有する開口部を備え、その開口部に、磁気吸着手段が填め込まれて固定されており、磁気吸着手段は、防水性を有する柔軟性シートと圧接していると共に、その柔軟性シートが、アンテナと圧接していることを特徴とするＧＰＳ受信装置。
【請求項２】
磁気吸着手段の厚みが、開口部の深さと同じ厚みであることを特徴とする請求項１記載のＧＰＳ受信装置。
【発明の詳細な説明】
【０００１】
【発明の属する技術分野】
本発明は、カーナビゲーションシステム等に使用されるＧＰＳ（全地球測位システム）受信装置に関するものである。
【０００２】
【従来の技術】
自動車や船舶等の移動体のナビゲーションシステムとして、人工衛星から出力される電波を受信して、移動体の位置を測定するＧＰＳを利用した装置が用いられている。このＧＰＳを利用して位置を測定するＧＰＳ装置は、３個以上の人工衛星からの電波を受信し、この複数の人工衛星からの電波による距離データ及び高度データを演算することにより、移動体の位置を検出するものである。
【０００３】
この人工衛星からの電波を受信する方法としては、アンテナを用いて受信することが行われており、このアンテナを内蔵したＧＰＳ受信装置が一般に使用されている。このＧＰＳ受信装置は、人工衛星からの電波の受信状態を良好に保つために、アンテナの受信面を人工衛星の位置する天頂側方向に向けて配置し、良好なアンテナの指向性が得られるようにして使用することが望ましいものであり、ＧＰＳ受信装置を移動体の内部又は外部の所定の位置に固定して受信することが一般に行われている。
【０００４】
このＧＰＳ受信装置を固定する方法としては、接着剤、粘着テープ、ネジ等を用いて固定する方法や、例えば特開平８−７８９２７号に記載されたような、磁石等の磁気吸着手段を用いて着脱可能に固定する方法が行われている。この磁気吸着手段を用いて固定する場合の、ＧＰＳ受信装置に磁気吸着手段を設ける方法としては、図４に示すように、アンテナ３０をその内部に収納する収納手段２０の外面に凹部２９を形成しておき、その凹部２９内に粘着テープ５０等を用いて磁気吸着手段１０を貼りつける方法や、収納手段の外面にシート状の磁気吸着手段を粘着テープ等を用いて貼りつける方法等が行われている。
【０００５】
しかしこのような磁気吸着手段を貼りつける方法でＧＰＳ受信装置を製造する場合、磁気吸着手段を貼りつける工数が必要なため、作業性に劣るという問題や、粘着テープ等の厚みによって、ＧＰＳ受信装置の厚みが厚くなるという問題があった。そのため、製造する際の作業性が優れると共に、厚みが薄いＧＰＳ受信装置が求められている。
【０００６】
【発明が解決しようとする課題】
本発明は、上記問題点を改善するために成されたもので、その目的とするところは、磁気により吸着可能な磁気吸着手段と、人工衛星から発信されるＧＰＳ用の電波を受信するアンテナをその内部に収納すると共に、上記磁気吸着手段を係着する収納手段とを備えるＧＰＳ受信装置であって、製造する際の作業性が優れると共に、厚みが薄いＧＰＳ受信装置を提供することにある。
【０００７】
【課題を解決するための手段】
本発明の請求項１に係るＧＰＳ受信装置は、磁気により吸着可能な磁気吸着手段と、人工衛星から発信されるＧＰＳ用の電波を受信するアンテナをその内部に収納すると共に上記磁気吸着手段を係着する収納手段と、を備えるＧＰＳ受信装置において、収納手段に、直径方向に突出する突起をその外面側に有する開口部を備え、その開口部に、磁気吸着手段が填め込まれて固定されており、磁気吸着手段は、防水性を有する柔軟性シートと圧接していると共に、その柔軟性シートが、アンテナと圧接していることを特徴とする。
【０００８】
本発明の請求項２に係るＧＰＳ受信装置は、請求項１記載のＧＰＳ受信装置において、磁気吸着手段の厚みが、開口部の深さと同じ厚みであることを特徴とする。
【００１１】
【発明の実施の形態】
本発明に係るＧＰＳ受信装置を図面に基づいて説明する。図１は本発明に係るＧＰＳ受信装置の一実施の形態を説明する図であり、（ａ）は断面図、（ｂ）は分解断面図である。また、図２は本発明に係るＧＰＳ受信装置の一実施の形態の、変形例を説明する図であり、図３は本発明に係るＧＰＳ受信装置の他の実施の形態を説明する断面図である。
【００１２】
本発明に係るＧＰＳ受信装置の一実施の形態は、図１に示すように、人工衛星から発信されるＧＰＳ用の電波を受信するアンテナ３０をその内部に収納すると共に、磁気により吸着可能な磁気吸着手段１０が填め込まれて固定された収納手段２０を備えるＧＰＳ受信装置である。
【００１３】
なお、収納手段２０は、収納手段底部２０ａと収納手段蓋部２０ｂとが接着されて形成されている。そして、その収納手段底部２０ａには、底面を貫通する開口部２２が設けられ、この開口部２２に、磁気吸着手段１０が填め込まれている。なお、この開口部２２には、直径方向に突出する突起２４が収納手段２０の外面側に形成されており、磁気吸着手段１０は、その突起２４に対応する部分が凹んだ形状に形成されることにより、開口部２２に磁気吸着手段１０が填め込まれ、抜け落ちないようになっている。
【００１４】
そのため、開口部２２に磁気吸着手段１０を填め込むだけで、収納手段２０に磁気吸着手段１０を固定することができ、製造する際の作業性が優れたＧＰＳ受信装置になっている。また、磁気吸着手段１０を配置する部分には、収納手段２０を形成するプラスチック等の材料が存在しないため、及び、収納手段２０に磁気吸着手段１０を貼りつけるための粘着テープ等が不要になるため、厚みが薄いＧＰＳ受信装置になっている。
【００１５】
なお、開口部２２の形状は、特に限定するものではなく、収納手段底部２０ａを収納手段蓋部２０ｂ側から見た開口部２２が、例えば図２（ａ）や（ｂ）に示すように、円形でも良く、図２（ｃ）や（ｄ）に示すように、方形でも良い。また、開口部２２に設ける突起２４は、収納手段２０の外面側に、開口部２２の直径方向に突出するように設けれれていれば良く、例えば図２（ａ）や（ｃ）に示すように、開口部２２の全周に渡って形成されていても良く、図２（ｂ）や（ｄ）に示すように、開口部２２の一部に形成されていても良い。なお、図２（ｄ）に示すように、開口部２２を四角形に形成すると共に、突起２４を対辺に設けるようにすると、磁気吸着手段１０の、突起２４に対応する部分を凹ませるための加工が、容易になり好ましい。
【００１６】
また、突起２４の断面は、図１に示すような三角や、図３に示すような四角等、特に限定するものではないが、断面三角形状の突起２４であると、磁気吸着手段１０の、突起２４に対応する部分を凹ませるための加工が、容易になり好ましい。
【００１７】
なお、図１に示すＧＰＳ受信装置の磁気吸着手段１０の厚みは、開口部２２の深さと同じ厚みとなっており、ＧＰＳ受信装置を移動体に固定する際には、収納手段２０と磁気吸着手段１０の両者が移動体に接触して、安定した固定ができるようになっている。なお、磁気吸着手段１０の厚みを、開口部２２の深さよりやや厚くしておき、磁気吸着手段１０を開口部２２から多少突出するようにしておくと、移動体への固定力が向上し好ましい。
【００１８】
また、磁気吸着手段１０とアンテナ３０の間には、防水性を有する柔軟性シート３５が設けられており、収納手段底部２０ａと収納手段蓋部２０ｂとを接着するときに、アンテナ３０も収納手段底部２０ａ側に加圧されて、磁気吸着手段１０と柔軟性シート３５が圧接すると共に、その柔軟性シート３５とアンテナ３０が圧接するようになっている。そのため、収納手段底部２０ａと収納手段蓋部２０ｂを接着するだけで、収納手段２０の内部に雨水等の侵入を防ぐことが可能になっており、特に製造する際の作業性が優れたＧＰＳ受信装置になっている。
【００１９】
なお、図３に示すように、アンテナ３０を実装したプリント配線板３３を支持するシールドケース３４で開口部２２を覆うことにより、柔軟性シート３５を設けないようにしても良い。このシールドケース３４を用いる場合、シールドケース３４を鉄で製造しておくと、シールドケース３４が磁気吸着手段１０のヨークの作用をするため、磁気による吸着力を高めることができ好ましい。
【００２０】
本発明に用いる磁気吸着手段１０としては、磁気により吸着可能なものであれば特に限定するものではなく、例えば、磁石や、樹脂・ゴム等と磁性体を混合してシート状に形成したマグネットシート等が挙げられる。
【００２１】
また、本発明に用いるアンテナ３０としては、人工衛星から発信されるＧＰＳ用の電波を受信することが可能なものであれば特に限定するものではなく、例えば有機系・無機系の絶縁板の表面に金属を付与して製造した平面型のものや、金属板を折り曲げて形成したものや、パラボラ型のもの等が挙げられる。なお、セラミック板の表面に金属を付与して製造したアンテナ３０を用いると、セラミックが高い誘電率を有するためアンテナ３０を小型化することができ、ＧＰＳ受信装置を小型化することができ好ましい。
【００２２】
【発明の効果】
本発明に係るＧＰＳ受信装置は、収納手段に、直径方向に突出する突起をその外面側に有する開口部を備え、その開口部に、磁気吸着手段が填め込まれて固定されているため、製造する際の作業性が優れると共に、厚みが薄いＧＰＳ受信装置となる。又、磁気吸着手段は、防水性を有する柔軟性シートと圧接していると共に、その柔軟性シートが、アンテナと圧接しているため、容易な方法で収納手段の内部に雨水等の侵入を防ぐことが可能になっており、特に製造する際の作業性が優れたＧＰＳ受信装置になる。
【００２３】
本発明の請求項２に係るＧＰＳ受信装置は、上記の効果に加え、ＧＰＳ受信装置を移動体に固定する際に、安定した固定が可能なＧＰＳ受信装置になる。
【図面の簡単な説明】
【図１】本発明に係るＧＰＳ受信装置の一実施の形態を説明する図であり、（ａ）は断面図、（ｂ）は分解断面図である。
【図２】本発明に係るＧＰＳ受信装置の一実施の形態の、変形例を説明する図である。
【図３】本発明に係るＧＰＳ受信装置の他の実施の形態を説明する断面図である。
【図４】従来のＧＰＳ受信装置を説明する断面図である。
【符号の説明】
１０    磁気吸着手段
２０    収納手段
２０ａ  収納手段底部
２０ｂ  収納手段蓋部
２２    開口部
２４    突起
３０    アンテナ
３３    プリント配線板
３４    シールドケース
３５    柔軟性シート
５０    粘着テープ
【図１】
0003726513.tif 000002
【図２】
0003726513.tif 000003
【図３】
0003726513.tif 000004
【図４】
0003726513.tif 000005